(57)【要約】【課題】本発明の目的は、複数の重なりピークが存在するクロマトグラムに対しても非線形最小二乗法を用いたカーブ・フィッティングを容易に行うことができるクロマトグラフ装置を提供することである。【解決手段】上記目的を達成するための本発明の特徴は、測定対象試料がカラムによって分離され、当該分離された試料を検出して得られるクロマトグラムのデータ処理を行うクロマトデータ処理装置において、前記クロマトグラムの複数のピークが存在する任意の時間領域に対して、時間領域の早い方或いは時間領域の遅い方より一つのピーク毎にフィッティング処理を行い、当該処理が行われたピークを前記任意の時間領域中のクロマトグラムから減算することにより、クロマトグラムの複数のピークを分解することである。【選択図】図１
2006177980.tif 000002
【特許請求の範囲】
【請求項１】
測定対象試料がカラムによって分離され、当該分離された試料を検出して得られるクロマトグラムのデータ処理を行うクロマトデータ処理装置において、
前記クロマトグラムの複数のピークが存在する任意の時間領域に対して、時間領域の早い方或いは時間領域の遅い方よりピーク毎にフィッティング処理を行い、当該処理が行われたピークを前記任意の時間領域中のクロマトグラムから減算することにより、クロマトグラムの複数のピークを分解することを特徴とするクロマトデータ処理装置。
【請求項２】
請求項１において、
前記フィッティング処理は、少なくとも面積，保持時間，標準偏差を算出することを特徴とするクロマトデータ処理装置。
【請求項３】
請求項１において、
前記フィッティング処理は、任意の時間領域中の早い方及び遅い方の両端から開始していくことを特徴とするクロマトデータ処理装置。
【請求項４】
請求項１において、
前記クロマトグラム中の全てのピークが減算された残りのデータをベースラインとすることを特徴とするクロマトデータ処理装置。
【請求項５】
測定対象試料がカラムによって分離され、当該分離された試料を検出して得られるクロマトグラムのデータ処理方法において、
前記クロマトグラムの複数のピークが存在する任意の領域を指定するステップと、
前記指定された領域のクロマトグラムに対して、前方端或いは後方端よりピーク毎にフィッティング処理を行うステップと、
当該フィッティング処理が行われたピークを前記任意の領域中のクロマトグラムから減算するステップとを有することを特徴とするクロマトデータ処理方法。
【請求項６】
請求項５において、
前記フィッティング処理は、少なくとも面積，保持時間，標準偏差を算出することを特徴とするクロマトデータ処理方法。
【請求項７】
請求項５において、
フィッティング処理に使用する重み付け関数を設定するステップと、前記フィッティング処理の方向を設定するステップとを有することを特徴とするクロマトデータ処理方法。
【請求項８】
測定対象試料を成分毎に分離する試料分離手段と、当該試料分離手段によって分離された試料を検出する検出手段と、当該検出手段の検出結果を得てデータ処理を行うデータ処理手段と、データ処理結果を表示する表示手段とを備えるクロマトグラフ分析装置において、
前記データ処理手段は、前記検出手段の検出結果として得られたクロマトグラムの少なくとも３成分のピークが存在する任意の保持時間領域を指定する手段と、前記指定された保持時間領域の前方端或いは後方端の何れからフィッティング処理を行うかを指定する手段と、当該フィッティング処理で使用する重み付け関数及び波形関数を指定する手段とを有し、各ピーク毎のフィッティング処理結果を前記表示手段に表示することを特徴とするクロマトグラフ分析装置。
【請求項９】
請求項８において、
前記フィッティング処理は、少なくとも面積，保持時間，標準偏差を算出することを特徴とするクロマトグラフ分析装置。
【請求項１０】
請求項８において、
前記データ処理手段は、フィッティング処理が終了したピークを前記任意の保持時間領域中のクロマトグラムから減算していくことを特徴とするクロマトグラフ分析装置。
【請求項１１】
請求項８において、
前記任意の保持時間領域の指定と、前記フィッティング処理の方向の指定と、前記重み付け関数の指定は、前記表示手段に表示されるダイアログボックスによって行われることを特徴とするクロマトグラフ分析装置。
【請求項１２】
請求項１１において、
前記重み付け関数は、前記表示手段上で、クロマトグラムと共に重ね合わせ表示され、且つ、任意に変更され得ることを特徴とするクロマトグラフ分析装置。
【発明の詳細な説明】
【技術分野】
【０００１】
液体クロマトグラフなどのクロマトグラフィー技術に係り、特にデ−タ処理の方法に関する。
【背景技術】
【０００２】
液体クロマトグラフ分析装置やガスクロマトグラフ分析装置などのクロマトグラフィーにおいては、測定対象の試料をカラムを通過させることで成分毎に分離を行い、分離された成分を光度計などのクロマトグラフ用検出器によって、経過時間毎の出力値を検出する。
【０００３】
クロマトグラフ用検出器から出力される信号は、時間間隔が数百ｍｓ程度の時系列データとして記録される。これが、縦軸に信号強度，横軸に保持時間を持ついわゆるクロマトグラムである。一般に、信号強度は一定時間（時刻ｔj ）毎にデジタル値Ｉj に変換され、データ処理が行われる。
【０００４】
図３に、生体液アミノ酸分析を行って得たクロマトグラムを例示する。
【０００５】
図３で示されるように、保持時間２３〜３４（min）の間には、Gly（グリシン）から
Tyr(チロシン）までの１１成分のピークが非常に密集して存在している。この様な場合、従来であれば、各ピーク間の極小点、いわゆる“谷”から垂線をおろす垂直分割の方法を用いて面積・定量計算を行っていた。しかしこの方法は、ピークの重なりが強いほど数十％の誤差を生じ、不正確な結果を生む。従って、この様な状態のクロマトグラムをより高精度に定量分析したい場合は、分析時間を伸ばし、分離度を向上するのが一般的であった。
【０００６】
また、ピークの重なりが強いときであっても分析時間を伸ばさずに定量計算を行うために、数値解析を用いてデータ処理的に定量計算を行うことも試みられている。例えば、非線形最小二乗法を用いる方法である。
【０００７】
非線形最小二乗法を用いる場合、一成分のピークをフィッティングするために、独立したパラメータを最低３つ（Ａ：面積、ｔR ：保持時間、σ：標準偏差）変数として使用する。従って、複数の成分のピークをフィッティングするためには、成分（ｉ）についてそれぞれＡi ，ｔRi，σi の３つのパラメータを求めることが必要となる。
【０００８】
非線形最小二乗法を使用する従来例として、特開平6−324029 号公報や特開昭63−
151851 号公報がある。
【０００９】
これらの例では、クロマトグラム上の重なりピークは、ガウシアン関数、或いは非対称なピークを表現できるＥＭＧ関数（指数関数的に修飾されたガウシアン：Exponentially Modified Gaussian)等の波形関数を用いてカーブ・フィッティングすることが開示されている。これらの例に示されるように、非線形最小二乗法を用いることで、重なりピークを個々のピーク波形に分解することができ、個々のピーク成分に対応するピーク面積等のピークサイズが得られ、定量計算を行える。
【００１０】
【特許文献１】特開平6−324029 号公報
【特許文献２】特開昭63−151851 号公報
【発明の開示】
【発明が解決しようとする課題】
【００１１】
しかし、非線形最小二乗法を用いた従来例では、ピーク波形の分解は２つまた３つ程度の重なりピークを対象としており、それ以上の重なりピークを分解することは行われていない。
【００１２】
これは通常、非線形最小二乗法のカーブ・フィッティングによってピーク波形の分解を行う場合は、ピーク成分数が３，４，５・・・と多くなればなるほど、フィッティング処理が収束しづらくなる、あるいはピーク分解が正しく行われない（誤差が大きくなる）、といった現象が生じてしまうためである。
【００１３】
例えば、図３のクロマトグラムの場合、GlyからTyrまでの１１成分を一度にフィッティングしようとすると、１１×３の３３個のパラメータを１回で決定しなければならない。これは非線形の最小二乗法にとっては非常に困難な計算処理となり、解くためには様々な工夫が必要となる。
【００１４】
従って、クロマトグラフ上に数多くの重なりピークが存在する場合、非線形最小二乗法を用いてカーブ・フィッティングを行おうとすると、測定者が、一々２，３ピーク分の収束可能と思われる計算領域（タイムウインドウ）を指定してやらなければならず、非常に手間がかかる上、人の手により領域が決定されるため、計算結果の信頼性にも問題があった。
【００１５】
本発明の目的は、複数の重なりピークが存在するクロマトグラムに対しても非線形最小二乗法を用いたカーブ・フィッティングを容易に行うことができるクロマトグラフ装置を提供することである。
【課題を解決するための手段】
【００１６】
上記目的を達成するための本発明の特徴は、測定対象試料がカラムによって分離され、当該分離された試料を検出して得られるクロマトグラムのデータ処理を行うクロマトデータ処理装置において、前記クロマトグラムの複数のピークが存在する任意の時間領域に対して、時間領域の早い方或いは時間領域の遅い方より一つのピーク毎にフィッティング処理を行い、当該処理が行われたピークを前記任意の時間領域中のクロマトグラムから減算することにより、クロマトグラムの複数のピークを分解することである。
【発明の効果】
【００１７】
本発明によれば、複数の重なりピーク、特に３成分以上の重なりピークを有するクロマトグラムに対し、幾つかの設定条件を定義するのみで、容易にピークを分解することができる。これにより、定量分析，定性分析の精度を向上することができる。また、ベースラインの決定能力も向上する。更には、測定者のデータ処理に対する労力を大幅に低減させることができる。
【００１８】
なお、本発明の課題，作用、及び効果については後述する発明を実施するための形態の欄で詳しく説明する。
【発明を実施するための最良の形態】
【００１９】
以下、本発明の実施例を説明する。
【実施例１】
【００２０】
図２は、本発明が適用される液体クロマトグラフの装置概要図である。まず、制御部５からの指示により送液ポンプ２によって溶離液１をカラム３に対して送液する。送液ポンプ２とカラム３の間には試料供給部８があり、試料が備えられたサンプラ７から制御部５の指示により試料が溶離液に対して供給される。試料はカラム３により分離され、ＵＶ検出器等の検出器４で検出される。検出されたデータであるクロマトグラムは、制御部５に送られ、データ解析が成され、結果がディスプレイ６上に表示され、またはプリンタ９で印刷される。
【００２１】
次に、検出の結果として、図３のクロマトグラムが得られた場合の制御部９５におけるデータ処理について説明する。
【００２２】
本実施例においては、主に以下の手順でクロマトグラムのデータ処理が行われる。
【００２３】
ステップ１：フィッティングをする時間区間の指定
ステップ２：重み付けパターンの選択
ステップ３：フィッティング方向の選択
ステップ４：フィッティング実行ボタンのクリック
ステップ５：結果の表示出力
図１は、上記のクロマトグラムのデータ処理の詳細な工程を示すものである。本実施例では、２成分ずつフィッティング処理を行う例で説明する。
【００２４】
まず、得られた検出結果の内、フィッティングを行うクロマトグラムを選出し、処理を開始する（１００）。ここで、変数ｉ＝１とする。
【００２５】
次に、フィッティング処理の対象となる保持時間の区間（タイムウインドウ）を設定する（１０１）。ここでは、図４のクロマトグラムの中で、GlyからTyrまでの１１成分のピーク群を対象として設定する。
【００２６】
タイムウインドウの設定は、図４に示すように、ディスプレイ９６上に表示されたクロマトグラムの時間軸をカーソルによりドラッグすることにより、タイムウインドウを設定する。あるいは、表示されたクロマトグラムのピークGlyとTyrをピックし、フィッティング開始ピークと終了ピークを選択することもできる。また直接、開始および終了の時間入力する方法も採れる。
【００２７】
次に、フィッティング計算に使用する波形関数を設定する。波形関数としては、例えば、“ガウシアン”または“ＥＭＧ”かを選択する。この選択は、ディスプレイ９６上に図５に示すダイアログボックスから使用する波形関数を選択することによって行われる。
【００２８】
本実施例は２成分ずつフィッティングしていくものであるが、フィッティング方向の前方ピーク、つまり、第１ピークの波形をより正確に決定するために、第２ピークの波形以降の信号の影響を小さくする必要がある。このため次に、図６（ａ）に示すような重み付け関数の設定を行う（１０３）。
【００２９】
重み付け関数は、２つのピークそれぞれに対する重み付けを示したものである。図６
（ａ）の例は、第１ピークのピークスタート時刻２１からピークエンド（谷）時刻２３までを重みｗ＝１とし、第２ピークのピークスタート（谷）時刻２３からピークエンド(谷)時刻２５までは、重みｗに直線的勾配をつけ、１から０まで落とした例である。尚、この重み付け関数は、種々様々なものが採用でき、以下に例を示す。
【００３０】
図６（ｂ）：曲線的勾配にしたもの。図６（ｃ）：Ｓ字的曲線勾配にしたもの。図６
（ｄ）：第１ピークスタート点から第２ピークエンド点までを直線的勾配にしたもの。図６（ｅ）：第２ピークエンド点にも重みを０.５ 掛けたもの。図６（ｆ）：第２ピーク極大点から第２ピークエンド点までを直線的勾配にしたもの。図６（ｇ）：第１ピークの左半分をより重視し、第１ピーク極大点から第２ピークエンド点までを直線的勾配にしたもの。第１ピークエンド点（第２ピークスタート点）で重みを０.５ 掛けるようにする。図６（ｈ）：第１ピークエンド点（第２ピークスタート点）から第２ピークエンド点まで重み０.５ をフラットに掛けたもの。図６（ｉ）：重み付けをしない場合に等価のもの。
【００３１】
具体的には、図７に示すダイアログボックスをディスプレイ９６上に表示させ、重み付けパターンを選択することにより設定する。ここで、任意設定を選択し、“オプション”ボタンを押すことで、図６に示す上記の各種のパターン関数形グラフを設定できる。図６の各種パターンは、予め制御部５内のハードディスク等の記憶装置に格納されており、図７のダイアログボックスで指定されることで、容易に記憶装置から読み出して処理に使用することができる。
【００３２】
次に、フィッティングの計算を行う方向を決定する（１０４）。
【００３３】
つまり、図３の例で言えば、前方(Gly側）から処理を行っていくか、後方(Tyr側）から行っていくかを決定する。具体的には、図７のダイアログボックスで、設定を行う。
【００３４】
以下は、Gly側から処理を行っていく例で説明する。
【００３５】
以上でフィッティング処理に必要な条件の設定は終了である。
【００３６】
そこで、図７のダイアログボックスで“ＯＫ”ボタンが選択されると、図８に示すようなダイアログボックスが表示され、“実行”ボタンを押すことにより、フィッティングの計算処理が開始される。
【００３７】
計算処理が開始されると、まず、設定されたタイムウインドウ内のピーク数を検出し、Ｉmax とする（１０６）。
【００３８】
具体的には、設定されたタイムウインドウ内での変極点を検出し、極大点と極小点を求め、極大点をピークの頂点、極小点をピークの終点及び始点とすることで、各ピークの区間を定義する。このとき求められたピークの谷（極小点）と各点が存在する保持時間が関連付けて記憶される。
【００３９】
次に、Ｉmax とｉとの差分を求める（１０７）。ここで、差分が３成分以上であると、工程１０７へ進む。
【００４０】
工程１０７で、差分３以上であると判断されたときは、工程１０３で設定された重み付け関数の幅が、工程１０５で検出されたピークの谷に合わせて調整される（１０８）。
【００４１】
図９に、第１回目のフィッティング処理の領域が設定されたイメージを示す。重み付け関数の幅は、図９に示すようなフィッティング領域の幅に合わせて調節される。
【００４２】
次に、フィッティング方向の前方２成分に対してフィッティング処理が行われる(109)。
【００４３】
以下に、フィッティングの具体的処理について説明する。
【００４４】
フィッティングのための波形関数ｆ(ｔ)には、前述のように、ガウシアンないしＥＭＧが用いられる。まず、ガウシアンを用いた場合の例を数式１に示す。
【００４５】
【数１】
2006177980.tif 000003
【００４６】
ここでａｔ＋ｂはベースラインを表す。本実施例では、２つの成分ずつのフィッティング処理を行うため、上記の数式１となるが、非線形の最小二乗法の能力さえ確保できれば、３成分に増やすことも可能である。もちろんＥＭＧへの拡張も可能である。数式２に数式１の一つのｇi(ｔ)をＥＭＧへ置き換える場合の例を示す。
【００４７】
【数２】
2006177980.tif 000004
【００４８】
最小二乗法は、次の数式３のＳ1 、または数式４のＳ2 を最小にするように各フィッティングパラメータＡi，ｔRi，σi，τiを決定する。ここで、Ｉjは測定クロマトグラムの信号強度、ｊは時刻ｔj を表す添え字、Ｎは時間区間のデータ点数である。Ｓ1 及びＳ2 は、何れを使用しても良い。
【００４９】
【数３】
2006177980.tif 000005
【００５０】
【数４】
2006177980.tif 000006
【００５１】
ここで得られた数式１のｆ(ｔ)中のｔRの小さな（即ち、保持時間の早い方)ｇi(ｔ）が第１ピークGlyにあたり、第１成分波形が決定する（１１０）。
【００５２】
次に、オリジナルの測定クロマトグラムから第１成分波形ｇ1(ｔ) を減算し、Gly を切り取ったクロマトグラムを作成する（１１１）。図１０にGly を切り取ったクロマトグラムのイメージを示す。尚、ベースラインａｔ＋ｂは、ピーク波形に影響を与えないために、減算しないほうが望ましい。
【００５３】
次に、変数ｉをインクリメントし、工程１０７に戻る。
【００５４】
以下、第１ピークのフィッティングの時と同様の手順で、Ala とCit を対象としてフィッティングを行い、第２ピークAla に該当する第２成分波形を決定する。
【００５５】
この後、後方末端の２成分のLeu（ロイシン）とTyrが残った状態になるまで、順次Ala ，Cit ・・・と減算により切り出していき、残り２成分となったところで（ｉ＝２）、工程１１２に移行し、重み付けを行わずに、２成分のピークフィッティングを行い、最後の２成分のピーク波形を決定する（１１４）。そして、オリジナルクロマトグラムからこの２成分のピーク波形を減算し（１１５）、処理を終了する。
【００５６】
上記の一連の処理により、タイムウインドウ内の全てのピーク波形の分解が実行されたことになる。また、上記処理によれば、全てのピーク波形を切り出された残りのクロマトグラムがベースラインとなり、ベースラインも同時に求められたこととなる。
【００５７】
上記処理が終了すると、上記処理によって得られた各ピーク毎のパラメータを用いて定量計算（例えば濃度）が行われる。そして、計算結果として、以下の図１１のような表示が、ディスプレイ９６上にピーク毎（成分毎）になされる。
【００５８】
ここで、各成分毎のパラメータは、上記処理によって不確かさ（ばらつき）が得られるため、この不確かさに基づき、定量値に対しても不確かさを算出することができる。
【００５９】
この定量値の不確かさが計算可能な点も、本実施例の特徴である。尚、定量値の不確かさを求める計算方法は、誤差伝播の式に従う。
【００６０】
また、フィッティングの優劣をこの定量値の不確かさの大きさで判定可能である（不確かさが小さい方が優れているといえる。）。例えば、この不確かさは、後述する前後方両端からフィッティングを行った場合の重なる部分の計算結果の優劣判定に使用できる。
【００６１】
本発明では、上記ピーク切り出しを行いながらピークの分解を行っていく上記処理を
「シークェンシング」と呼び、このシークェンシングを行うクロマトデータ処理装置を
「クロマト  ピーク  シークェンサ」と呼ぶ。
【００６２】
以上の説明は、前方末端からのフィッティング計算であったが、図７のダイアログボックスでのフィッティング方向の設定により、後方末端からも実行できる。この場合は、第２ピークを示すｇ2(ｔ) をクロマトグラムから減算し、また、重み付け関数の形状は左右逆転する。この順序であれば、図４の場合Tyr，Leu，Ile(イソロイシン) の順に、保持時間の大きいものから切り出していける。
【００６３】
理想的には、前方後方どちらからフィッティングしていっても良いのだが、実際には、両端から最も重なりの程度の強いピークまでフィッティングを行うのが望ましい。このようなフィッティングを行う場合は、図７のダイアログボックスで“自動判定”を選択する。
【００６４】
例えば、図３のクロマトグラムの場合、LueとIleは重なりが強いため、GlyからCysthi（シスタチオニン）かIle まで前方シークェンシングを行い、Lue かまたはIle まで後方シークェンシングを行う。こうすることにより、重なりの強いLue とIle に関しては、前方後方双方からのフィッティングの適合性を判断して、いずれかのフィッティング結果を採用・決定することができる。
【００６５】
ここで、適合性判断の指標には、上述のようにフィッティングパラメータＡi，ｔRi，σi 自体の不確かさ（ばらつき）を用いたり、または統計学的指標χ2や、χ2の収束率を見ている計算反復回数を用いることにより判断が可能となる。また、これらのパラメータを複数組合わせて判断を行えば、より総合的な判断もできる。いずれにしても、定量計算を目的とする場合、ピーク面積値Ａi が正確に求まる必要があり、この不確かさが重視されるべきである。
（重み付け関数設定の他の実施例）
また、上記の工程１０２で設定する重み付け関数は、ダイアログボックス上で設定を行ったが、この他にも、表１に示す表形式のプログラム設定や、図１２に示すクロマトグラムに重み付け関数を重ね合わせ表示して設定を行うグラフィカル設定でも設定可能である。
【００６６】
【表１】
2006177980.tif 000007
【００６７】
表１の設定プログラムは、例として図６（ｇ）が設定された例を示している。測定者が、“重み値”と“形状”を入力することにより、重み付け関数が定義される。この表１は、ディスプレィ上に表示される。
【００６８】
図１２は、ディスプレィ上のグロマトグラムに重み付け関数を重ねて表示しながら、設定する方法を示している。例えば、ノウド（節）３１の周辺にポインティングデバイスによってカーソルを移動し、クリックして、特徴点の第１ピーク始点を表示させる。これで、ノウド３１が確定する。ノウド３１を移動したければピック後離す、いわゆるドラッギングも可能である。次に、ノウド３２周辺をクリックし、ノウド３１から垂直であり、重み１である点までドラッグし、ノウド３２を確定する。ここで自動的にノウド３１からノウド３２までの垂直線が描かれ、決定する。同様にノウド３３，３４を決定し、重み付け関数を設定できる。重み付け関数を変更したければ、任意のノウドをクリックし、ハイライトを当て、変更設定を行う。また、ノウドの削除もできる。また、任意の場所をクリックすることで新規のノウドも追加可能である。ノウド間の線分を曲線にする場合は、目的の線分をクリックし、ハイライト（表示色変更）を当て、右クリックで属性の変更設定を行う。ここで、コンケイブ，コンヴェックス等の指定ができる。
（シークェンシングの他の実施例）
上記のシークェンシングの実施例は、一度測定を行い、クロマトグラムを得てしばらく後のデータ処理であるが、このシークェンシングの処理を、試料の測定と同時に処理することもできる。以下に、その場合の実施例の説明をする。
【００６９】
測定と同時のシークェンシングの処理は次のように進む。
【００７０】
ステップ１：フィッティングをする時間区間（タイムウインドウ）の設定
ステップ２：重み付け関数の設定
ステップ３：フィッティング方向の設定
ステップ４：試料の測定
ステップ５：フィッティング処理
ステップ６：結果の表示出力
ステップ１〜３では、表２のように予めタイムプログラムとして測定前に設定を行う。タイムウインドウの設定は、フィッティング開始からフィッティング終了の時間設定で行う。またタイムウインドウの設定は、ピーク名で“Gly”から“Tyr”のように、フィッティング開始ピークと終了ピークを選択することもできる。
【００７１】
【表２】
2006177980.tif 000008
【００７２】
以上、本発明のクロマトピークシークェンサーによれば、いくつかの条件を設定するのみで、複数のピークが重なるクロマトグラムのフィッティングが自動的に実行できる。
【００７３】
また同時に高精度のベースラインの算出も行うことができる。高精度のベースライン決定機能を持っている面からも本発明のクロマトピークシークエンサは良好なデータ処理装置と考えられる。但し、ピーク波形をガウシアンやＥＭＧに仮定してフィッティングするため、実際のピーク波形が著しくこれらの解析学的関数形より外れている場合は、注意を要する。このような場合、１成分毎の標準試料から孤立ピーク波形を得て、特定の波形関数を予め登録する必要がある。
【図面の簡単な説明】
【００７４】
【図１】本発明のフィッティング処理を示すフローチャート図である。
【図２】クロマトグラフ装置の概略構成図である。
【図３】生体液アミノ酸分析法の７０分間クロマトグラムである。
【図４】タイムウインドウを設定したクロマトグラムの表示例である。
【図５】波形関数を設定するダイアログボックスの表示例である。
【図６】重み付け関数の例である。
【図７】重み付け関数とフィッティング方向を選択するダイアログボックスの表示例である。
【図８】フィッティング処理の実行を指定するダイアログボックスの表示例である。
【図９】第１回目のフィッティング領域が設定されたイメージ図である。
【図１０】１成分が切り出されたクロマトグラムのイメージ図である。
【図１１】フィッティング結果の表示例である。
【図１２】重み付け関数のグラフィカルな設定例を示す図である。
【符号の説明】
【００７５】
１…溶離液、２…送液ポンプ、３…カラム、４…検出器、５，９５…制御部、６，９６…ディスプレイ、７…サンプラ、８…試料供給部、９…プリンタ、２１…ピークスタート時刻、２３，２５…ピークエンド（谷）時刻、３１，３２，３３，３４…ノウド。
【図１】
2006177980.tif 000009
【図２】
2006177980.tif 000010
【図３】
2006177980.tif 000011
【図４】
2006177980.tif 000012
【図５】
2006177980.tif 000013
【図６】
2006177980.tif 000014
【図７】
2006177980.tif 000015
【図８】
2006177980.tif 000016
【図９】
2006177980.tif 000017
【図１０】
2006177980.tif 000018
【図１１】
2006177980.tif 000019
【図１２】
2006177980.tif 000020